(57)【特許請求の範囲】
【請求項１】
金管楽器の演奏のための唇の状態を保持して訓練するための金管楽器用練習器具であって、
内部に貫通孔が形成された筒体と、
前記筒体の一端側に固定され、上下の唇の間の形状に適合するように一方向へ相対的に長い断面形状を備え、かつ前記貫通孔と連通して唇からの空気が流通する流路を構成する開口部を備えた咥え部と、を有し、
前記咥え部の前記唇と接する表面の周方向にわたる全体が、前記断面と直角方向へ直線的に形成された金管楽器用練習器具。
【請求項２】
前記筒体に取り付けられる重り部を更に有する、請求項１に記載の金管楽器用練習器具。
【請求項３】
前記重り部は、前記筒体の延在方向の任意の位置に取り付け可能である、請求項２に記載の金管楽器用練習器具。
【請求項４】
前記筒体の外面に、当該筒体の延在方向の位置を示す目盛が形成された、請求項１〜３のいずれかに記載の金管楽器用練習器具。
【発明の詳細な説明】
【技術分野】
【０００１】
本発明は、金管楽器用練習器具に関し、特に、唇の周りの筋肉を訓練するための練習器具に関するものである。
【背景技術】
【０００２】
例えばトランペット、トロンボーン、ホルン等の金管楽器は、楽器自体に発音体が設けられておらず、吹奏者の唇が発音源となる。吹奏者は、金管楽器を演奏する際には、唇をマウスピースに当てた状態で肺から空気を送ることで唇を振動させるが、正確な音を発音させるために、送られた空気によってできた上下の唇の間の隙間を適正に保ち、かつ唇を柔らかく保ちつつ、唇の周囲の筋肉を緊張させている。
【０００３】
したがって、正確な音を発音するためには、唇の周囲の筋肉の訓練が重要であり、そのための訓練方法として、例えば割り箸をくわえて落とさないようにすることで、唇の周囲の筋肉を訓練する方法が知られている（非特許文献１参照）。
【先行技術文献】
【非特許文献】
【０００４】
【非特許文献１】浅香淳編集，「新版  吹奏楽講座  第２巻  金管楽器」，音楽之友社，１９９１年３月２０日，ｐ．７１
【発明の概要】
【発明が解決しようとする課題】
【０００５】
しかしながら、上述のように割り箸をくわえる場合、割り箸の形状が唇の形と異なるため、発音に望ましくない形に矯正されてしまう虞がある。また、割り箸をくわえた状態で唇の間から空気を吐出させようとすると、割り箸と唇の間の隙間を空気が流れることになるため、実際に楽器を吹奏する際の空気の流れと異なってしまう。
【０００６】
本発明は、上記従来技術に伴う課題を解決するためになされたものであり、唇の形状を適正に保持し、かつ実際に楽器を吹奏する際と近似した空気の吹き出しを実現しつつ、唇の周囲の筋肉を訓練することが可能な金管楽器用練習器具を提供することを目的とする。
【課題を解決するための手段】
【０００７】
上記目的を達成する本発明に係る金管楽器用練習器具は、金管楽器の演奏のための唇の状態を保持して訓練するための金管楽器用練習器具であって、内部に貫通孔が形成された筒体と、前記筒体の一端側に固定される咥え部とを有している。この咥え部は、上下の唇の間の形状に適合するように一方向へ相対的に長い断面形状を備え、かつ前記貫通孔と連通して唇からの空気が流通する流路を構成する開口部を備え、咥え部の前記唇と接する表面の周方向にわたる全体が、前記断面と直角方向へ直線的に形成されている。
【発明の効果】
【０００８】
上記のように構成した本発明に係る金管楽器用練習器具は、咥え部が、上下の唇の間の形状に適合するように一方向へ相対的に長い断面形状を備えるため、この咥え部を唇でくわえることで、正確な唇の形状を保持しつつ唇の周囲の筋肉を訓練することができる。また、咥え部に開口部が形成されて、この開口部が筒体の貫通孔と連通しているため、上下の唇の間の中心部で空気を吐出することができる。したがって、実際に楽器を吹奏する際と近似した空気の吐出状態で、唇の筋肉を訓練することができる。
【図面の簡単な説明】
【０００９】
【図１】本実施形態に係る金管楽器用練習器具であり、（Ａ）は平面図、（Ｂ）は（Ａ）のＢ−Ｂ線に沿う断面図である。
【図２】同金管楽器用練習器具を示す斜視図である。
【図３】同金管楽器用練習器具を使用する際を示す斜視図である。
【図４】金管楽器用練習器具の他の例を示す斜視図である。
【発明を実施するための形態】
【００１０】
以下、図面を参照して、本発明の実施の形態を説明する。
【００１１】
本実施形態に係る金管楽器用練習器具１は、金管楽器の吹奏者が、唇の周囲の筋肉を訓練するための器具である。
【００１２】
金管楽器用練習器具１は、図１，２に示すように、内部に貫通孔１１が形成された筒体１０と、筒体１０の一端側に固定される咥え部２０とを有している。
【００１３】
咥え部２０は、金管楽器を吹奏する際に上下の唇の間に形成される横長の空間に適合するように、一方向へ相対的に長い幅Ｄを有する断面形状を備えている。特に、咥え部２０の外周面２１が滑らかに湾曲して形成されることが好ましい。このようにすれば、唇を咥え部２０に対して自然に沿わせることができる。
【００１４】
また、咥え部２０には、筒体１０の外径が嵌合して固定される固定孔２１が形成されており、この固定孔２１の筒体１０が固定される側と反対側に、筒体１０の貫通孔１１と連通する開口部２２が形成されている。なお、本実施形態では、筒体１０は固定孔２１の中央部まで挿通されているが、このような形態に限定されず、例えば開口部２２に至るまで挿通したり、または固定孔２１に挿通することなしに固定孔２１の端部に接着剤や溶接等により固定してもよい。また、咥え部２０および筒体１０を別部材で作製して固定するのではなく、同一部材として一体的に作製することも可能である。
【００１５】
筒体１０の外面には、筒体１０の延在方向に一定間隔で並んで複数の目盛１２が形成されている。目盛１２は、例えば溝の形態で形成したり、塗料を塗布して形成することができるが、これらに限定されない。また、目盛１２の間隔も、特に限定されない。
【００１６】
筒体１０の外面には、重り部３０が取り外し自在に連結可能となっている。重り部３０はリング状の部材であり、図２に示すように、外周面から内周面へ貫通するネジ孔に螺合する固定ネジ３１によって、筒体１０の外面に固定される。したがって、固定ネジ３１を緩めることで筒体１０の外面に沿って移動させ、任意の位置で固定ネジ３１を締め付けることで、固定することができる。なお、重り部３０の形態はこれに限定されず、例えばクリップの形態で形成することもできる。また、重り部が、筒体１０の所定の位置に固定的に形成されてもよい。
【００１７】
咥え部２０、筒体１０および重り部３０の材料は、特に限定されず、例えばステンレス鋼やアルミ等の金属材料、樹脂材料、木材等、形状を保持できるものであれば、あらゆる材料が適用可能である。なお、破損を極力防ぐために、ある程度の強度を確保することを考慮すれば、金属材料で作製することが好ましい。また、生産性を考慮すれば、樹脂材料で作製することが好ましい。
【００１８】
咥え部２０の外郭形状や開口部２２の内径、筒体１０の内径や長さ、重り部３０の重量は、楽器の種類や使用する演奏者のレベルに応じて、適宜設計変更が可能である。そして、楽器の種類や演奏者のレベルに応じて、複数種類の金管楽器用練習器具１が設けられることが好ましい。
【００１９】
次に、本実施形態に係る金管楽器用練習器具１の作用について説明する。
【００２０】
金管楽器用練習器具１を使用する際には、まず、重り部３０を筒体１０の外面の望ましい位置に固定する。このとき、筒体１０の外面に目盛１２が形成されているため、外面に対して正確な位置に重り部３０を配置することができる。重り部３０は、筒体１０の先端側（咥え部２０と連結される側の反対側）から筒体１０に挿通させることができる。重り部３０が筒体１０の先端側へ固定されるほど、図３に示すように唇Ｌで咥え部２０を保持する際に、重り部３０の位置が唇Ｌから離れて、唇Ｌに対して大きなモーメントが作用する。したがって、重り部３０を先端側へ固定するほど、唇Ｌへ作用する負荷を増強させることができ、唇Ｌの周囲の筋肉を強く訓練することができる。
【００２１】
このように、本実施形態に係る金管楽器用練習器具１は、重り部３０の位置を変更することで、使用者の望ましい強度の訓練を任意に選択することができる。
【００２２】
なお、重り部３０を筒体１０から取り外した状態で金管楽器用練習器具１を使用してもよく、さらには、重り部３０を複数固定したり、重量の異なる複数の重り部３０の中から適当な重り部３０を選択するようにしてもよい。
【００２３】
使用者が望む位置に重り部３０を固定した後には、図３に示すように、咥え部２０を上下の唇Ｌの間に咥える。このとき、咥え部２０が、一方向へ相対的に長い幅Ｄを有する断面形状を備えているため、使用者が咥えることで、上下の唇Ｌの間の空間が、金管楽器の発音のために適正な横長の空間として保持される。この状態から、金管楽器用練習器具１が落ちないように唇Ｌだけで保持する。このとき、金管楽器を吹奏する際と同様に、唇Ｌを柔らかく保ちながら、唇Ｌの周囲の筋肉を緊張させることが重要である。
【００２４】
この状態で、咥え部２０の開口部２２から空気を吐出することで、空気が筒体１０の貫通孔１１を介して先端側から放出される（図３中の二点差線矢印を参照）。このように、開口部２２を介して空気を吐出することで、上下の唇Ｌの間の中心部で空気を吐出することになる。したがって、適正な唇Ｌの形状を咥え部２０で保持しつつ、さらに実際に楽器を吹奏する際と近似した空気の吐出状態を再現しながら、唇Ｌの周囲の筋肉を訓練することができる。すなわち、吹奏者が実際に金管楽器を吹奏する際には、閉じた唇をマウスピースに当てた状態で肺から空気を送ることで、送られた空気によって上下の唇の間に隙間を生じさせつつ唇を振動させるが、これと近似した状態を再現しつつ唇Ｌの周囲の筋肉を訓練することができる。また、このような訓練を行うことで、唇Ｌの周囲の筋肉の訓練だけでなく、腹式呼吸や肺活量の訓練も同時に行うことができる。
【００２５】
このような訓練を一定時間繰り返し行うことで、金管楽器の吹奏に適するように、唇Ｌの周囲の筋肉を訓練することができる。
【００２６】
なお、本発明は、上述した実施の形態に限定されるものではなく、特許請求の範囲の範囲内で種々改変することができる。例えば、図４に他の形態の金管楽器用練習器具５０を示すが、咥え部５１と筒体５２の断面形状を同一とすることができる。このような形態とすれば、作製が容易となり、生産性を向上させることができる。また、当然に、金管楽器用練習器具５０に目盛や重り部を設けてもよい。
【００２７】
なお、図１〜３で示した金管楽器用練習器具１は、図４の金管楽器用練習器具５０と比較して使用する材料が少なく、材料費を削減できるという効果も期待できる。また、本発明に係る金管楽器用練習器具１，５０は、金管楽器の種類を限定しない。
【符号の説明】
【００２８】
１，５０    金管楽器用練習器具、
１０，５２    筒体、
１１    貫通孔、
１２    目盛、
２０，５１    咥え部、
２２    開口部、
Ｄ    咥え部の幅、
Ｌ    唇。
【要約】
【課題】唇の形状を適正に保持し、かつ実際に楽器を吹奏する際と近似した空気の吹き出しを実現しつつ、唇の周囲の筋肉を訓練することが可能な金管楽器用練習器具を提供する。
【解決手段】内部に貫通孔１１が形成された筒体１０と、前記筒体１０の一端側に固定され、上下の唇の間の形状に適合するように一方向へ相対的に長い断面形状を備え、かつ前記貫通孔１１と連通する開口部２２を備えた咥え部２０と、を有する金管楽器用練習器具１である。
【選択図】図１【図１】
0004521666.tif 000002
【図２】
0004521666.tif 000003
【図３】
0004521666.tif 000004
【図４】
0004521666.tif 000005